(57)【要約】【課題】電動送風機の排気による防音性能の劣化のない防音構造を備える電気掃除機を提案する。【解決手段】電気掃除機１は、電動送風機８を収容し、電動送風機８が流動させる空気が流通する排気風路６７を区画し、かつ風路６７とは別に電動送風機８が流動させる空気が非流通であって電動送風機８の発する騒音を減衰させる隙間１０１を排気風路６７よりも外観面に近い側に有する掃除機本体２と、を備えている。【選択図】  図１１
2015066121.tif 000002
【特許請求の範囲】
【請求項１】
電動送風機と、
前記電動送風機を収容し、前記電動送風機が流動させる空気が流通する風路を区画し、かつ前記風路とは別に前記電動送風機が流動させる空気が非流通であって前記電動送風機の発する騒音を減衰させる隙間を前記風路よりも外観面に近い側に有する掃除機本体と、を備える電気掃除機。
【請求項２】
前記掃除機本体は、
前記電動送風機を収容して、前記風路を内側に区画する内ケースと、
前記隙間を隔てて前記内ケースに覆い被さり前記掃除機本体の外観を担う外装と、を備える請求項１に記載の電気掃除機。
【請求項３】
前記内ケースは、前記外装よりも比重が小さい請求項２に記載の電気掃除機。
【発明の詳細な説明】
【技術分野】
【０００１】
本発明に係る実施形態は、電気掃除機に関する。
【背景技術】
【０００２】
従来の電気掃除機は、電動送風機に通じる風路中に設けられ、かつ通気性を有する防音材を備えている。防音材は、もっぱら電動送風機の下流側に設けられ、つまり電動送風機の排気に曝される。
【先行技術文献】
【特許文献】
【０００３】
【特許文献１】特開平１１−２２５９１８号公報
【発明の概要】
【発明が解決しようとする課題】
【０００４】
電動送風機の排気は、電動送風機の熱を奪って温められる。したがって、通気性のある防音材には、電動送風機によって温められた排気が流通する。しかしながら、発砲ウレタンなどの防音材は、温かい排気に曝され続けると、徐々に劣化して防音性能を低下させてしまう。
【０００５】
そこで、本発明は、電動送風機の排気による防音性能の劣化のない防音構造を備える電気掃除機を提案する。
【課題を解決するための手段】
【０００６】
前記の課題を解決するため本発明に係る電気掃除機は、電動送風機と、前記電動送風機を収容し、前記電動送風機が流動させる空気が流通する風路を区画し、かつ前記風路とは別に前記電動送風機が流動させる空気が非流通であって前記電動送風機の発する騒音を減衰させる隙間を前記風路よりも外観面に近い側に有する掃除機本体と、を備えている。
【図面の簡単な説明】
【０００７】
【図１】本発明の実施形態に係る電気掃除機の外観を示す斜視図。
【図２】本発明の実施形態に係る電気掃除機の掃除機本体を左斜め前から示す斜視図。
【図３】本発明の実施形態に係る電気掃除機の掃除機本体から塵埃分離集塵装置を取り外して左斜め前から示す斜視図。
【図４】本発明の実施形態に係る電気掃除機の掃除機本体から塵埃分離集塵装置および外装を取り外して左斜め前から示す斜視図。
【図５】本発明の実施形態に係る電気掃除機の掃除機本体から塵埃分離集塵装置、外装、および内ケースを取り外して左斜め前から示す斜視図。
【図６】本発明の実施形態に係る電気掃除機の掃除機本体から塵埃分離集塵装置、外装、内ケース、コードリール、および電動送風機よりも上流側の風路を区画する各種部材を取り外して左斜め前から示す斜視図。
【図７】図６に示す掃除機本体の分解斜視図。
【図８】本発明の実施形態に係る電気掃除機の掃除機本体を示す平面図。
【図９】本発明の実施形態に係る電気掃除機の掃除機本体を示す断面図。
【図１０】本発明の実施形態に係る電気掃除機の内ケースおよび外装の内側を示す斜視図。
【図１１】本発明の実施形態に係る電気掃除機の内ケースおよび外装を示す斜視断面図。
【発明を実施するための形態】
【０００８】
本発明に係る電気掃除機の実施形態について図１から図１１を参照して説明する。
【０００９】
図１は、本発明の実施形態に係る電気掃除機の外観を示す斜視図である。
【００１０】
図１に示すように、本実施形態に係る電気掃除機１は、いわゆるキャニスタ型の電気掃除機である。電気掃除機１は、被掃除面上を走行可能な掃除機本体２と、掃除機本体２に着脱自在な管部３と、を備える。掃除機本体２と管部３とは、流体的に接続されている。
【００１１】
掃除機本体２は、本体ケース５と、本体ケース５の左右両側方にそれぞれ設けられている一対の車輪６と、本体ケース５の前半部に配置されている着脱自在な塵埃分離集塵装置７と、本体ケース５の後半部に収納されている電動送風機８と、主に電動送風機８を制御する本体制御部９と、電動送風機８へ電力を導く電源コード１１と、を備えている。
【００１２】
掃除機本体２は、電源コード１１を経て供給される電力で電動送風機８を駆動させて、電動送風機８の駆動によって発生する負圧を管部３に作用させている。電気掃除機１は、管部３を通じて被掃除面から塵埃を含んだ空気（以下、「含塵空気」と呼ぶ。）を吸い込み、含塵空気から塵埃を分離し、分離後の塵埃を捕集し、蓄積するとともに分離後の空気を排気する。
【００１３】
本体ケース５の正面部分には、本体接続口１２が設けられている。本体接続口１２は、掃除機本体２の流体的な入口であり、管部３と塵埃分離集塵装置７とを流体的に接続している。
【００１４】
車輪６は、大径の走行輪であり、掃除機本体２を支えている。
【００１５】
塵埃分離集塵装置７は、遠心分離方式で掃除機本体２に流れ込む含塵空気から塵埃を分離し、捕集し、蓄積する一方で、塵埃が除去された清浄な空気を電動送風機８へ送る。
【００１６】
電動送風機８は、塵埃分離集塵装置７から空気を吸い込んで負圧（吸込負圧）を発生させる。
【００１７】
本体制御部９は、マイクロプロセッサ（図示省略）、およびマイクロプロセッサが実行する各種演算プログラム、パラメータなどを記憶する記憶装置（図示省略）を備える。記憶装置には、予め設定される複数の運転モードが記憶されている。予め設定される複数の運転モードは、管部３で受け付けられる使用者の操作に対応している。それぞれの運転モードには、相互に異なる入力値（電動送風機８の入力値）が設定されている。本体制御部９は、管部３で受け付けられる使用者の操作に応じて、その操作内容に対応する任意の運転モードを予め設定される複数の運転モードから択一的に選択して記憶部から読み出し、読み出した運転モードにしたがって電動送風機８を制御する。
【００１８】
電源コード１１は、配線用差込接続器（図示省略、所謂コンセント）から掃除機本体２へ電力を供給する。電源コード１１の自由端部には、差込プラグ１４が設けられている。
【００１９】
管部３は、掃除機本体２から作用する負圧によって、被掃除面から含塵空気を吸い込み掃除機本体２へ案内する。管部３は、掃除機本体２に着脱自在に接続されている継手としての接続管１９と、接続管１９に流体的に接続されている集塵ホース２１と、集塵ホース２１に流体的に接続されている手元操作管２２と、手元操作管２２から突出している把持部２３と、把持部２３に設けられている操作部２４と、手元操作管２２に着脱自在に接続されている延長管２５と、延長管２５に着脱自在に接続されている吸込口体２６と、を備えている。
【００２０】
接続管１９は、本体接続口１２へ着脱自在に接続される継手であり、本体接続口１２を通じて塵埃分離集塵装置７に流体的に接続されている。
【００２１】
集塵ホース２１は、長尺で可撓な略円筒形状のホースである。集塵ホース２１の一方の端部（ここでは、後方の端部）は、接続管１９に流体的に接続されている。集塵ホース２１は、接続管１９を通じて塵埃分離集塵装置７に流体的に接続されている。
【００２２】
手元操作管２２は、集塵ホース２１と延長管２５とを中継している。手元操作管２２の一方の端部（ここでは、後方の端部）は、集塵ホース２１の他方の端部（ここでは、前方の端部）に流体的に接続されている。手元操作管２２は、集塵ホース２１および接続管１９を通じて塵埃分離集塵装置７に流体的に接続されている。
【００２３】
把持部２３は、電気掃除機１を操作するために使用者が手で把持する部分である。把持部２３は、使用者が手で容易に把持できる適宜の形状で手元操作管２２から突出している。
【００２４】
操作部２４は、それぞれの運転モードに対応付けられるスイッチを備えている。具体的には、操作部２４は、電動送風機８の運転停止操作に対応付けられる停止スイッチ２４ａと、電動送風機８の運転開始操作に対応付けられる起動スイッチ２４ｂと、吸込口体２６への電源供給に対応付けられるブラシスイッチ２４ｃと、を備えている。停止スイッチ２４ａおよび起動スイッチ２４ｂは、本体制御部９に電気的に接続されている。電気掃除機１の使用者は、操作部２４を操作して電動送風機８の運転モードを択一的に選択できる。起動スイッチ２４ｂは、電動送風機８の運転中に、運転モードの選択スイッチとしても機能している。この場合、本体制御部９は、起動スイッチ２４ｂから操作信号を受け取る度に運転モードを強→中→弱→強→中→弱→………の順に切り換える。なお、操作部２４は、起動スイッチ２４ｂに代えて、強運転スイッチ（図示省略）、中運転スイッチ（図示省略）、および弱運転スイッチ（図示省略）を個別に備えていても良い。
【００２５】
複数の筒状体を重ね合わせたテレスコピック構造の延長管２５は、伸縮可能な細長略円筒状の管である。延長管２５の一方の端部（ここでは、後方の端部）には、手元操作管２２の他方の端部（ここでは、前方の端部）に着脱自在な継手構造が設けられている。延長管２５は、手元操作管２２、集塵ホース２１および接続管１９を通じて塵埃分離集塵装置７に流体的に接続されている。
【００２６】
吸込口体２６は、木床やカーペットなどの被掃除面上を走行自在または滑走自在であり、走行状態または滑走状態において被掃除面に対向する底面に吸込口２８を有する。また、吸込口体２６は、吸込口２８に配置されている回転自在な回転清掃体２９と、回転清掃体２９を駆動させる電動機３１と、を備えている。吸込口体２６の一方の端部（ここでは、後方の端部）には、延長管２５の他方の端部（ここでは、前方の端部）に着脱自在な継手構造が設けられている。吸込口体２６は、延長管２５、手元操作管２２、集塵ホース２１および接続管１９を通じて塵埃分離集塵装置７に流体的に接続されている。つまり、吸込口体２６、延長管２５、手元操作管２２、集塵ホース２１、接続管１９、および塵埃分離集塵装置７は、電動送風機８から吸込口２８へ至る吸込風路である。電動機３１は、ブラシスイッチ２４ｃから操作信号を受け取る度に運転開始と停止とを交互に繰り返す。
【００２７】
電気掃除機１は、起動スイッチ２４ｂに対する使用者の操作を受け付けると電動送風機８を始動させる。例えば、電気掃除機１は、電動送風機８が停止している状態で起動スイッチ２４ｂに対する操作を受け付けると、先ず電動送風機８を強運転モードで運転し、再び起動スイッチ２４ｂに対する操作を受け付けると電動送風機８を中運転モードで運転し、三度、起動スイッチ２４ｂに対する操作を受け付けると電動送風機８を弱運転モードで運転し、以下同様に繰り返す。強運転モード、中運転モードおよび弱運転モードは、予め設定される複数の運転モードであり、強運転モード、中運転モード、弱運転モードの順に電動送風機８に対する入力値が小さい。始動した電動送風機８は、塵埃分離集塵装置７から空気を排気してその内部を負圧にする。
【００２８】
塵埃分離集塵装置７内の負圧は、本体接続口１２、接続管１９、集塵ホース２１、手元操作管２２、延長管２５、および吸込口体２６を順次に通じて吸込口２８に作用する。電気掃除機１は、吸込口２８に作用した負圧によって、被掃除面上の塵埃を空気とともに吸い込んで被掃除面を掃除する。塵埃分離集塵装置７は、電気掃除機１に吸い込まれた含塵空気から塵埃を分離し、蓄積する一方で、含塵空気から分離した空気を電動送風機８へ送る。電動送風機８は、塵埃分離集塵装置７から吸い込んだ空気を掃除機本体２外へ排気する。
【００２９】
次に掃除機本体について詳細に説明する。
【００３０】
図２は、本発明の実施形態に係る電気掃除機の掃除機本体を左斜め前から示す斜視図である。
【００３１】
図３は、本発明の実施形態に係る電気掃除機の掃除機本体から塵埃分離集塵装置を取り外して左斜め前から示す斜視図である。
【００３２】
図４は、本発明の実施形態に係る電気掃除機の掃除機本体から塵埃分離集塵装置および外装を取り外して左斜め前から示す斜視図である。
【００３３】
図５は、本発明の実施形態に係る電気掃除機の掃除機本体から塵埃分離集塵装置、外装、および内ケースを取り外して左斜め前から示す斜視図である。
【００３４】
図６は、本発明の実施形態に係る電気掃除機の掃除機本体から塵埃分離集塵装置、外装、内ケース、コードリール、および電動送風機よりも上流側の風路を区画する各種部材を取り外して左斜め前から示す斜視図である。
【００３５】
図７は、図６に示す掃除機本体の分解斜視図である。
【００３６】
図８は、本発明の実施形態に係る電気掃除機の掃除機本体を示す平面図である。
【００３７】
図９は、図８のＩＸ−ＩＸ線において、本発明の実施形態に係る電気掃除機の掃除機本体を示す断面図である。
【００３８】
図２から図９に示すように、本実施形態に係る電気掃除機１の掃除機本体２は、塵埃分離集塵装置７をやや後方へ傾けた姿勢で着脱自在に保持している。掃除機本体２の上下方向は、水平な被掃除面に掃除機本体２を置いた場合の鉛直方向である。
【００３９】
ここで先ず、遠心分離方式の塵埃分離集塵装置７は、含塵空気から繊維ゴミや、粒度の大きい砂粒などの粗塵を空気から遠心分離する第一分離室４１と、第一分離室４１で分離された粗塵を蓄積する集塵室４２と、第一分離室４１から粗塵の分離された空気を取り出す案内管４３と、案内管４３に接続されて粗塵の分離された空気から粒度の細かい粉状の細塵を空気から遠心分離する第二分離室４５と、第二分離室４５から細塵の分離された空気を取り出し、本体ケース５へ排気する排気管４６と、を備えている。
【００４０】
他方、本体ケース５は、接続管１９と塵埃分離集塵装置７との間を流体的に接続する第一中継管５１と、塵埃分離集塵装置７と電動送風機８との間を流体的に接続する第二中継管５２と、第二中継管５２と電動送風機８との間に設けられる濾過フィルタ５３と、を備えている。本体ケース５の正面壁５ａには、第一中継管５１の出口５５、および第二中継管５２の入口５６が配置されている。
【００４１】
本体ケース５の第一中継管５１は、接続管１９に流れ込む含塵空気を塵埃分離集塵装置７へ案内する。塵埃分離集塵装置７の第一分離室４１は、含塵空気から粗塵を分離する。集塵室４２は、分離された粗塵を蓄積し、案内管４３は、分離された空気を第二分離室４５へ案内する。第二分離室４５は、空気から細塵を分離し、第一分離室４１および集塵室４２の外殻を兼ねる塵埃カップ５７へ廃棄する。排気管４６は、細塵の分離された清浄な空気を本体ケース５へ送り出す。本体ケース５の第二中継管５２は、清浄な空気を濾過フィルタ５３へ送り、濾過フィルタ５３は、清浄な空気に混入する微細塵を濾過して捕捉し、極めて清浄な空気を電動送風機８へ送る。
【００４２】
本体ケース５内には、電動送風機８を収容する電動送風機ケース５８が設けられている。電動送風機ケース５８は、本体ケース５の右側に偏倚されている。電動送風機ケース５８の左隣には、電源コード１１を巻き取るコードリール５９が設けられている。本体ケース５は、シャーシとしての下ケース６１と、下ケース６１に覆い被さって第一中継管５１、第二中継管５２、電動送風機ケース５８、およびコードリール５９を収容する内ケース６２と、内ケース６２と協働して掃除機本体２の後端部を覆う後ケース６３と、内ケース６２に覆い被さって掃除機本体２の意匠面の大部分を占める外装６５と、を備えている。
【００４３】
内ケース６２は、電動送風機８を電動送風機ケース５８ごと収容し、電動送風機８の排気が流通する排気風路６７を区画している。また、内ケース６２は、その大部分を外装６５に覆い隠されている一方で、その後端部を掃除機本体２の後端部に露出させている。
【００４４】
そして、掃除機本体２内に収容される電動送風機８は、掃除機本体２の略上下方向へ延びる回転軸７１と、回転軸７１に設けられる遠心ファン部７２と、回転軸７１に設けられて遠心ファン部７２を駆動させるモータ部７３と、回転軸７１の延長線上に遠心ファン部７２に通じる吸気口７５が開口される筒形状の遠心ファンカバー７６と、を備えている。
【００４５】
また、掃除機本体２は、電動送風機８の遠心ファンカバー７６の周囲に巻かれる環状の弾性部材８１と、弾性部材８１の周囲の一部に接し、残部を回避して掃除機本体２に電動送風機８を弾性的に支持させる保持枠体８２と、を備えている。
【００４６】
遠心ファンカバー７６は、一方の端部を塞ぐ底壁７６ａを有し、他方の端部を開放されるカップ形状を有する。底壁７６ａの中央には、吸気口７５が開口されている。開放端側はモータ部７３に接続されて塞がれている。
【００４７】
他方、モータ部７３の下端には、排気口７７が設けられている、排気口７７は、電動送風機８が吸気口７５から吸い込んだ空気の出口である。
【００４８】
電動送風機ケース５８は、電動送風機８の遠心ファンカバー７６を下方側から支えてモータ部７３を収容する電動送風機ケース下半体８３と、電動送風機８の遠心ファン部７２および遠心ファンカバー７６の大部分を収容して電動送風機ケース下半体８３に覆い被さる電動送風機ケース上半体８５と、を備えている。電動送風機ケース上半体８５は、濾過フィルタ５３着脱自在に保持するフィルタ保持枠８６を一体に備えている。電動送風機ケース下半体８３の正面には、本体制御部９が保持されて、排気風路６７中に配置されている。
【００４９】
弾性部材８１は、例えば発泡ゴムの成形品であり、遠心ファンカバー７６の開放端側に巻き付けられている。弾性部材８１は、遠心ファンカバー７６の円形の側壁７６ｂに倣い、径方向に薄い第一環状部８７と、遠心ファンカバー７６の円形の開放端に倣い、第一環状部８７の内周面に設けられて中心線方向に薄い第二環状部８８と、を備えている。第一環状部８７は、遠心ファンカバー７６の径方向を弾性的に支える。第二環状部８８は、遠心ファンカバー７６の上下方向を弾性的に支える。
【００５０】
保持枠体８２は、電動送風機ケース５８に一体化され、電動送風機ケース下半体８３の開口端に配置されている。保持枠体８２は、弾性部材８１を回避する残部に開口される重量軽減口８９を複数、有している。重量軽減口８９は、電動送風機ケース５８、ひいては掃除機本体２の重量軽減に寄与すると同時に、弾性部材８１と保持枠体８２との接触面積を減少させている。複数の重量軽減口８９は、整然と整列していても良いし、不等間隔に疎らに分散していても良い。弾性部材８１と保持枠体８２との接触面積の減少は、電動送風機８の振動による荷重によって弾性部材８１を圧縮させる際の面圧を高め、ひいては弾性部材８１を部分的に大きく変形させることに繋がり、つまり電動送風機８を柔らかく支持することに繋がる。
【００５１】
また、保持枠体８２は、重量軽減口８９を窓状に区画して環状に繋がる環状枠部９１を備えている。環状枠部９１は、重量軽減口８９よりも電動送風機８の吸気口７５に近い側、本実施形態においては重量軽減口８９の上側に配置されている。環状枠部９１は、保持枠体８２の開口端を環状に連続させることによって、電動送風機８が回転軸７１を中心に遠心ファン部７２を首振り運動のように振り回される振動モードに対する確実な保持を図る。
【００５２】
弾性部材８１は、重量軽減口８９を閉じて空気の流通を妨げている一方で、保持枠体８２と電動送風機８との間に挟まれる部位で電動送風機８の振動が本体ケース５に伝わることを防いでいる。
【００５３】
ところで、電動送風機８は、掃除機本体２の上方へ向けて吸気口７５を開口させている。電動送風機８を駆動させると、吸気口７５は、減圧されて負圧になる。この電動送風機８の吸い込み負圧は、電動送風機８自体を上方へ引き上げ、電動送風機８の上方に配置される濾過フィルタ５３へと電動送風機８を近づける。この吸い込み負圧による推進力は、電動送風機８を上方から吊り下げる。この電動送風機８の吊り下げ状態では、弾性部材８１および保持枠体８２は、電動送風機８の径方向および周方向の運動を保持することになり、特に径方向に働く振動による変位に追従して電動送風機８を保持する。つまり、保持枠体８２は、電動送風機８の駆動時には、弾性部材８１の周囲の一部に接し、残部を回避して前記掃除機本体に電動送風機８の径方向を弾性的に支持させている。
【００５４】
他方、電動送風機８の非駆動時には、推進力を失った電動送風機８が重力によって掃除機本体２の下方へ下がるため、弾性部材８１および保持枠体８２は、遠心ファンカバー７６の下縁部に接して、電動送風機８を下からも保持している。
【００５５】
また、電動送風機ケース５８は、コードリール５９に対面する左側面５８ａに複数の排気口９８、９９を有する。排気口９８、９９から流出する空気は、コードリール５９に巻き付けられる電源コード１１を空冷する冷却風としても機能し、内ケース６２および後ケース６３の内側に吹き出す。内ケース６２および後ケース６３の内側に吹き出した空気は、内ケース６２の後端部に開口される本体排気口９２から掃除機本体２外へ排気される。つまり、内ケース６２および後ケース６３の内側は、電動送風機８の排気が流通する排気風路６７である。
【００５６】
排気口９８は、複数の開口を有する開口群であり、電動送風機ケース下半体８３の左側面８３ａに配置されている。排気口９９も、複数の開口を有する開口群であり、電動送風機ケース上半体８５の左側面８５ａに配置されている。
【００５７】
次に、本体ケース５のうち、内ケース６２および外装６５について詳細に説明する。
【００５８】
図１０は、本発明の実施形態に係る電気掃除機の内ケースおよび外装の内側を示す斜視図である。
【００５９】
図１１は、図１０に示すＸＩ−ＸＩ線において、本発明の実施形態に係る電気掃除機の内ケースおよび外装を示す斜視断面図である。
【００６０】
なお、図１０は、掃除機本体２の右側を覆う外装６５を取り外した状態を示している。
【００６１】
図２から図９に加えて、図１０および図１１に示すように、本実施形態に係る電気掃除機１の本体ケース５、は、電動送風機８が流動させる空気が流通する排気風路６７を区画し、かつ排気風路６７とは別に電動送風機８が流動させる空気が非流通であって電動送風機８の発する騒音を減衰させる隙間１０１を排気風路６７よりも外観面に近い側に有している。
【００６２】
具体的には、内ケース６２は、その内側に電動送風機ケース５８ごと電動送風機８を収容し、電動送風機８が流動させる空気が流通する排気風路６７を区画している。内ケース６２の外側には、外装６５の内側を支える複数のリブ１０２が略等間隔に設けられている。複数のリブ１０２は、隙間１０１を複数の小空間１０３に区画している。
【００６３】
外装６５は、隙間１０１を隔てて内ケース６２に覆い被さり掃除機本体２の外観を整えている。内ケース６２は、外装６５よりも比重が小さく、例えば内ケース６２がポリプロピレンの成形品であり、外装６５がＡＢＳ樹脂の成形品である。
【００６４】
隙間１０１は、内ケース６２内の排気風路６７から遮断された空間であり、内ケース６２内の排気風路６７との間で積極的な空気の流通を生じない。つまり、隙間１０１は、空気の流れによる例えば風切音のような騒音を発生させない一方で、内ケース６２内に生じる空気の流れによる風切音や、電動送風機８の駆動音を遮断する。
【００６５】
また、隙間１０１は、掃除機本体２の左右の両側方に設けられている。これにより、本体ケース５は、電動送風機８の駆動音や、コードリール５９に吹き付ける空気による騒音が、掃除機本体２の左右の両側方へと漏れ出ることを防いでいる。
【００６６】
本実施形態に係る電気掃除機１は、電動送風機８が流動させる空気が流通する排気風路６７を区画し、かつ排気風路６７とは別に電動送風機８が流動させる空気が非流通であって電動送風機８の発する騒音を減衰させる隙間１０１を有することによって、通気性のある防音材を排気風路６７中に設けることなく、電動送風機８の排気による劣化のない防音効果を得る。
【００６７】
また、本実施形態に係る電気掃除機１は、内ケース６２と外装６５との間に隙間１０１を有することにより、内ケース６２内に電動送風機８を収容しつつ、電動送風機８の駆動音や、電動送風機８から流出する排気による騒音を内ケース６２外側の隙間１０１および外装６５で確実に防音できる。
【００６８】
さらに、本実施形態に係る電気掃除機１は、内ケース６２に比重の大きい材料を使用し、外装６５に比重の軽い材料を使用することによって、内ケース６２で本体ケース５の強度を必要程度に保ちつつ、外装６５を軽くし、ひいては掃除機本体２の軽量化を図りつつ、隙間１０１による中空の防音構造で単に本体ケース５の壁の厚みを増すよりも高い防音効果を得ることができる。
【００６９】
したがって、本実施形態に係る電気掃除機１によれば、電動送風機８の排気による防音性能の劣化のない防音構造を提供できる。
【００７０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７１】
１  電気掃除機
２  掃除機本体
３  管部
５  本体ケース
５ａ  正面壁
６  車輪
７  塵埃分離集塵装置
８  電動送風機
９  本体制御部
１１  電源コード
１２  本体接続口
１４  差込プラグ
１９  接続管
２１  集塵ホース
２２  手元操作管
２３  把持部
２４  操作部
２４ａ  停止スイッチ
２４ｂ  起動スイッチ
２４ｃ  ブラシスイッチ
２５  延長管
２６  吸込口体
２８  吸込口
２９  回転清掃体
３１  電動機
４１  第一分離室
４２  集塵室
４３  案内管
４５  第二分離室
４６  排気管
５１  第一中継管
５２  第二中継管
５３  濾過フィルタ
５５  出口
５６  入口
５７  塵埃カップ
５８  電動送風機ケース
５８ａ  左側面
５９  コードリール
６１  下ケース
６２  内ケース
６３  後ケース
６５  外装
６７  排気風路
７１  回転軸
７２  遠心ファン部
７３  モータ部
７５  吸気口
７６  遠心ファンカバー
７６ａ  底壁
７６ｂ  側壁
７７  排気口
８１  弾性部材
８２  保持枠体
８３  電動送風機ケース下半体
８３ａ  左側面
８５  電動送風機ケース上半体
８５ａ  左側面
８６  フィルタ保持枠
８７  第一環状部
８８  第二環状部
８９  重量軽減口
９１  環状枠部
９２  本体排気口
９８、９９  排気口
１０１  隙間
１０２  リブ
１０３  小空間
【図１】
2015066121.tif 000003
【図２】
2015066121.tif 000004
【図３】
2015066121.tif 000005
【図４】
2015066121.tif 000006
【図５】
2015066121.tif 000007
【図６】
2015066121.tif 000008
【図７】
2015066121.tif 000009
【図８】
2015066121.tif 000010
【図９】
2015066121.tif 000011
【図１０】
2015066121.tif 000012
【図１１】
2015066121.tif 000013